(57)【要約】【目的】受信信号電力推定値に加わる雑音及び干渉電力によるオフセット分を除去可能なことを課題とする。【構成】複数の受信パイロット信号を平均化して得た伝搬路推定値を用いて該複数の受信パイロット信号を同期検波し、得られたパイロット部同期検波結果に基づき受信信号電力を推定する機能を備えたＣＤＭＡ受信装置において、前記複数の受信パイロット信号の内の１の受信パイロット信号についての同期検波に際して用いる前記伝搬路推定値から少なくとも該１の受信パイロット信号の成分を除去したものを用いて同期検波を行う。【選択図】　　　　図１
2004120338.tif 000002
【特許請求の範囲】
【請求項１】
複数の受信パイロット信号を平均化して得た伝搬路推定値を用いて該複数の受信パイロット信号を同期検波し、得られたパイロット部同期検波結果に基づき受信信号電力を推定する機能を備えたＣＤＭＡ受信装置において、
前記複数の受信パイロット信号の内の１の受信パイロット信号についての同期検波に際して用いる前記伝搬路推定値から少なくとも該１の受信パイロット信号の成分を除去したものを用いて同期検波を行うことを特徴とするＣＤＭＡ受信装置。
【請求項２】
伝搬路推定値は、検波される前記１の受信パイロット信号を除いた前後Ｍ個の受信パイロット信号を重み付け加算して得られることを特徴とする請求項１記載のＣＤＭＡ受信装置。
【請求項３】
複数のパイロット部同期検波結果につき、スロット内平均値の２乗を分散値で除算することによりＳＩＲ推定値を求めるＳＩＲ推定手段を備えることを特徴とする請求項１又は２記載のＣＤＭＡ受信装置。
【請求項４】
複数のパイロット部同期検波結果につき、平均値の２乗をＡＧＣキャンセルしたものをＳ測定値、分散値を前記平均値の２乗で除算し、かつＡＧＣキャンセルしたものをＩ測定値とすると共に、前記Ｓ測定値をＩ測定値で除算してＳＩＲ測定値を求めるＳＩＲ測定手段を備えることを特徴とする請求項１又は２記載のＣＤＭＡ受信装置。
【請求項５】
複数の受信パイロット信号の平均値を遅延検波してから最大比合成及び時間平均することにより得られた時間相関値を、複数のパイロット部同期検波結果に基づき求めた受信信号電力推定値により規格化し、フェージング周波数を推定するフェージング周波数推定手段を備えることを特徴とする請求項１又は２記載のＣＤＭＡ受信装置。
【発明の詳細な説明】
【０００１】
【発明の属する技術分野】
本発明はＣＤＭＡ受信装置に関し、更に詳しくは、複数の受信パイロット信号を平均化して得た伝搬路推定値（チャネル推定値とも呼ばれる）を用いて該複数の受信パイロット信号を同期検波し、得られたパイロット部同期検波結果に基づき受信信号電力を推定する機能を備えたＣＤＭＡ受信装置に関する。
【０００２】
【従来の技術】
ＣＤＭＡ（Ｃｏｄｅ　Ｄｉｖｉｓｉｏｎ　Ｍｕｌｔｉｐｌｅ　Ａｃｃｅｓｓ）方式では、アンテナダイバーシチ受信に加え、パスダイバーシチを利用したＲＡＫＥ受信機を用いて受信品質の向上を図っている。図８にＷ−ＣＤＭＡ上りリンクのフレームフォーマットを示す。図において、データシンボルと、パイロットシンボル及び制御用シンボルは、それぞれＱＰＳＫ変調のＩ軸、Ｑ軸に対する互いに直交するチャネライゼーションコードによって多重され、更にチャネル固有のスクランブリングコードが乗算されている。
【０００３】
基地局の受信機では、サーチャが検出した複数の遅延波タイミングでそれぞれに拡散コード及びチャネライゼーションコードを乗算することによりパイロットシンボルを逆拡散し、更に、既知のパイロットパターンをキャンセルすることで伝搬路成分を取り出し、それをシンボル間及びスロット間で重み付け平均することにより伝搬路（チャネル）推定値を得ている。一方、同様にして逆拡散されたデータシンボルは、前記伝搬路推定値によって位相補償（同期検波）された後に、フィンガ合成され、更に誤り訂正等の復号処理を経、こうしてデータ受信系列が得られる。
【０００４】
またＣＤＭＡ方式の必須技術として、受信品質を一定に保つべく送信側の電力を遠隔制御する所謂送信電力制御がある。送信電力制御は、受信ＳＩＲ（Ｓｉｇｎａｌｔｏ　Ｉｎｔｅｒｆｅｒｅｎｃｅ　Ｒａｔｉｏ）推定値を利用して制御を行う。例えば上り信号において、基地局におけるＳＩＲ推定値が目標ＳＩＲよりも大きい又は小さい場合は、端末の送信電力を一定の電力だけ減少又は増加させるための送信電力制御（ＴＰＣ：Ｔｒａｎｓｍｉｓｓｉｏｎ　Ｐｏｗｅｒ　Ｃｏｎｔｒｏｌ）ビットを下り信号に埋め込み、送信する。移動端末ではＴＰＣビットを受信・復調し、その結果に従って送信電力を増減させる。送信電力制御は伝搬路状態の急速な変動に追従することが必要であるため、スロット毎にＳＩＲ推定を行い、ＴＰＣビットを作成する。
【０００５】
従来のＳＩＲ推定装置では、逆拡散後のパイロットシンボルを上記伝搬路推定値を用いて位相補償、周波数偏差補償した後、これらをフィンガ合成して得た信号のスロット内平均値を受信信号電力推定値（Ｓ値）、スロット内分散値をＳ値で除算したものを干渉電力推定値（Ｉ値）とする。このうち、Ｓ値は瞬時に変動する一方、Ｉ値は瞬時に変動しないものと考えることができるので、Ｉ値に関しては更に一定期間の平均化を行う。こうして得られたＳ値とＩ値の比がＳＩＲ推定値となる。
【０００６】
またＷ−ＣＤＭＡ方式に準拠する基地局受信機では、比較的長期間にわたる平均的なＳＩＲをＳＩＲ測定値として上位レイヤに報告する機能を有する。この場合はＳ値についてもスロット間で平均を取ることにより得られたＳ値とＩ値の比をＳＩＲ測定値とする。
【０００７】
また、移動通信における伝搬路は端末周辺の建物等により反射、回折、散乱を受けるために多重波伝搬路となり、端末周辺には様々な方向から到来する多数の波が相互に干渉しあう。このような環境中を端末が移動すると、受信波がランダムに位相及び振幅変動する。また端末から送信される信号についても同様の変動を受ける。これをフェージングと呼び、その変動の度合いを示すフェージング周波数は端末の移動速度に依存する。
【０００８】
前記伝搬路推定装置における最適な重み係数はフェージング周波数に依存するため、フェージング周波数を推定してこれを重み係数にフィードバックすることにより、受信特性の向上を図ることができる。フェージング周波数はパイロットシンボルの時間相関値を求めることで推定できる。具体的には、パイロットシンボルを平均後に一定の時間差で遅延検波を行い、受信信号電力推定値を用いて規格化することにより、時間相関値を得ることが出来る。時間相関値はフェージング周波数を変数とするベッセル関数として表されるため、時間相関値から逆算してフェージング周波数を求めることができる。
【０００９】
従来は、スロット内の複数パイロットシンボルを平均化してスロット毎にチャネル（伝搬路）を推定すると共に、これらを複数スロット間で重み付け加算して得たチャネル推定値を、データシンボルの同期検波や送信電力制御に利用するものが知られている（例えば特許文献１）。また、従来は、パイロットシンボルによる受信信号電力推定値を利用してＳＩＲ推定やフェージング周波数推定を行うものが知られている（例えば特許文献２，特許文献３）。以上の技術的な背景に鑑み、以下に従来技術の問題点を具体的に説明する。
【００１０】
図９は従来の一例の伝搬路推定部及びパイロット同期検波部のブロック図であり、パイロットシンボル系列の平均に基づき求めた伝搬路推定値を用いてパイロットシンボルを同期検波すると共に、該検波出力を平均化して受信信号電力推定値を得る場合を示している。
【００１１】
図において、２４は逆拡散後のパイロットシンボル系列に基づき伝搬路（チャネル）推定値を求める伝播路推定部であって、ここには、逆拡散後のパイロットシンボル系列に既知のパイロットパターンを乗算してパイロットパターンをキャンセルする乗算器２４１と、パターンキャンセルされたパイロットシンボル系列のスロット内加算（平均化）を行う累積加算部（Ｔｓｙｍ）２４２と、スロット内加算結果を保持するラッチ（ＬＴＨ）２４３と、ラッチ出力を各１スロット分遅延させる遅延素子（Ｔｓｌｏｔ）２４４と、入力のフェージング周波数推定値ｆＤに基づき対応する重み係数の組ｗを出力する重み係数選択テーブル２４５と、各遅延出力に各重み係数を乗算する乗算器２４６と、入力の周波数偏差推定値Δｆに基づき対応する周波数偏差補正量を生成する周波数偏差補正量制御部２４７と、各遅延出力に各補正量を乗算する乗算器２４８と、上記重み付け及び周波数偏差補正後の各遅延出力を加算する加算器２４９とが含まれる。
【００１２】
５６は上記伝播路推定値に基づき検波対象のパイロットシンボルを同期検波するパイロット同期検波部であり、ここには、上記パターンキャンセル後のパイロットシンボル系列を２スロット分遅延させる遅延回路５６１と、上記伝播路推定値の複素共役を求める複素共役器（ｃｏｎｊ）５６２と、遅延パイロットシンボルに伝播路推定値の複素共役を乗算して同期検波を行う乗算器５６３とが含まれる。
【００１３】
そして、図示しないが、各検波出力のパイロットシンボルをフィンガ合成すると共に、該合成出力（即ち、パイロット部同期検波結果）を平均化することにより、ＳＩＲ推定やフェージング周波数推定に使用するための受信信号電力推定値を得ている。
【００１４】
【特許文献１】
特開平１０−５１４２４号公報（実施の形態１、図１，図３）。
【００１５】
【特許文献２】
特開平１０−２４７８９４号公報（カラム２、４２〜４９行、図１０）
【００１６】
【特許文献３】
特開２００１−３５８６２１号公報（カラム３の４５行〜カラム５の３２行、図１）
【００１７】
【発明が解決しようとする課題】
しかし、上記従来方式による伝搬路推定値には検波対象のパイロットシンボル成分が含まれているため、検波後のパイロットシンボルにつき求めた受信信号電力推定値には、本来の信号成分のみならず、自己相関による雑音電力成分及び干渉電力成分が加わっており、平均化によってはこれらの成分を完全に抑圧することができず、雑音電力及び干渉電力の和に比例したオフセットが生じてしまう問題があった。ここで「オフセット」とは理想的な平均値（期待値）が真の値からずれることを言う。以下、これを具体的に説明する。
【００１８】
今、逆拡散及びパターンキャンセル後のｋシンボル目のパイロット信号ｒｋを（１）式、
【００１９】
【数１】
2004120338.tif 000003
【００２０】
とおく。ここで、ｓは信号成分を表し、シンボル間では変化しないものと仮定する。また、ｎは雑音成分を表す。スロット内伝搬路推定値ξはこれを平均化したものであり、例えば、Ｋシンボル分を等重みで平均化する場合は（２）式、
【００２１】
【数２】
2004120338.tif 000004
【００２２】
で表せる。一方、この伝搬路推定値ξを使用したｍシンボル目のパイロットシンボルの同期検波結果は（３）式、
【００２３】
【数３】
2004120338.tif 000005
【００２４】
で表せる。ここで、＊は複素共役を表す。またＳは信号電力を表し、Ｓ＝｜ｓ｜２である。更に、これらがフィンガ合成されると共に、該検波結果の平均を取ると（４）式、
【００２５】
【数４】
2004120338.tif 000006
【００２６】
となる。但し、（５）式、
【００２７】
【数５】
2004120338.tif 000007
【００２８】
の関係を用いた。ここで、Ｅ［ｄｍ］は平均化を表し、またＮは平均雑音電力を表す。
【００２９】
上記（４）式において、受信信号電力の期待される値は信号電力Ｓであるが、オフセット分Ｎ／Ｋが加わってしまっている。平均化のためのシンボル数Ｋが大きい場合はオフセットも小さいが、平均化シンボル数Ｋが少ない場合は期待される結果との差分が大きくなる。このため、ＳＩＲ推定値、ＳＩＲ測定値、フェージング周波数推定値にも同様にオフセットが生じる問題があった。
【００３０】
本発明は上記従来技術の問題点に鑑みなされたもので、その目的とする所は、受信信号電力推定値に加わる雑音及び干渉電力によるオフセット分を除去可能なＣＤＭＡ受信装置を提供することにある。
【００３１】
【課題を解決するための手段】
上記の課題は例えば図１の構成により解決される。即ち、本発明（１）のＣＤＭＡ受信装置は、複数の受信パイロット信号（例えば受信パイロットシンボル）を平均化して得た伝搬路推定値を用いて該複数の受信パイロット信号を同期検波し、得られたパイロット部同期検波結果に基づき受信信号電力を推定する機能を備えたＣＤＭＡ受信装置において、前記複数の受信パイロット信号の内の１の受信パイロット信号についての同期検波に際して用いる前記伝搬路推定値から少なくとも該１の受信パイロット信号の成分を除去したものを用いて同期検波を行うものである。
【００３２】
本発明（１）においては、伝搬路推定値から少なくとも検波されるパイロット信号の成分を除去したものを用いて同期検波を行うため、干渉と雑音の自己相関による干渉電力及び雑音電力成分を取り除くことが出来、その出力の平均化によりオフセットのない受信信号電力推定値を得ることが出来る。以下、これを具体的に説明する。
【００３３】
伝搬路推定値ξから検波されるパイロット信号ｒｍを除去した後に同期検波を行うと、その同期検波結果は（６）式、
【００３４】
【数６】
2004120338.tif 000008
【００３５】
で表される。この検波結果ｄ’ｍを平均化すると（７）式、
【００３６】
【数７】
2004120338.tif 000009
【００３７】
の関係となり、該平均値からは平均雑音電力Ｎの項が消えることがわかる。
【００３８】
なお、信号電力Ｓの（Ｋ−１）／Ｋ倍になっている分は、重み係数ｗｋを適当に調整することで消去できる。従って、同期検波結果からノイズによるオフセット成分を除去することが出来る。
【００３９】
また、上記複数の受信パイロット信号（受信パイロットシンボル）を平均化する方法には、単にＫ個分の要素を累積加算する方法、該累積加算結果を１／Ｋ倍して平均値を求める方法、Ｋ個分の要素を重み付け加算する方法、又は各要素の自乗和の平方根を求める方法等、他の様々な平均化の方法が含まれる。
【００４０】
本発明（２）では、上記本発明（１）において、伝搬路推定値は、検波される前記１の受信パイロット信号を除いた前後Ｍ個の受信パイロット信号を重み付け加算して得られるものである。従って、この場合の伝搬路推定値には、もともと検波されるパイロット信号の成分が含まれていないため、該成分を別途に除去する必要がない。
【００４１】
本発明（３）では、上記本発明（１）又は（２）において、複数のパイロット部同期検波結果につき、スロット内平均値の２乗を分散値で除算することによりＳＩＲ推定値を求めるＳＩＲ推定手段を備えるものである。
【００４２】
本発明（３）によれば、こうして得られたＳＩＲ推定値は、雑音電力及び干渉電力のオフセットを受けないため、雑音電力や干渉電力が支配的になるような低ＳＩＲ時には、特にＳＩＲ推定値の精度が向上する。更に、このＳＩＲ推定値を利用して制御を行う送信電力制御の精度が向上し、受信特性、チャネル容量等のシステム性能が向上する。
【００４３】
本発明（４）では、上記本発明（１）又は（２）において、複数のパイロット部同期検波結果につき、平均値の２乗をＡＧＣキャンセルしたものをＳ測定値、分散値を前記平均値の２乗で除算し、かつＡＧＣキャンセルしたものをＩ測定値とすると共に、前記Ｓ測定値をＩ測定値で除算してＳＩＲ測定値を求めるＳＩＲ測定手段を備えるものである。
【００４４】
本発明（４）によれば、こうして得られたＳＩＲ測定値は、雑音電力及び干渉電力のオフセットを受けないため、雑音電力や干渉電力が支配的になるような低ＳＩＲ時には、特にＳＩＲ測定値の精度が向上する。
【００４５】
本発明（５）では、上記本発明（１）又は（２）において、複数の受信パイロット信号の平均値を遅延検波してから最大比合成及び時間平均することにより得られた時間相関値を、複数のパイロット部同期検波結果に基づき求めた受信信号電力推定値により規格化し、フェージング周波数を推定するフェージング周波数推定手段を備えるものである。
【００４６】
本発明（５）によれば、受信パイロット信号に基づく時間相関値を、パイロット部同期検波結果に基づき求めた受信信号電力推定値により規格化するため、雑音電力や干渉電力のオフセットのないフェージング周波数推定値が得られる。
【００４７】
【発明の実施の形態】
以下、添付図面に従って本発明に好適なる実施の形態を詳細に説明する。なお、全図を通して同一符号は同一又は相当部分を示すものとする。
【００４８】
図２は実施の形態による基地局受信部のブロック図で、Ｗ−ＣＤＭＡ方式への適用例を示している。図において、１１はアンテナ、１２はバンドパスフィルタ（ＢＰＦ）、１３は周波数変換部（ミキサ）、１４はローカル発振器、１５は（π／２）移相器、１６はローパスフィルタ（ＬＰＦ）、１７はＡＧＣ（Ａｕｔｏ　Ｇａｉｎ　Ｃａｎｃｅｌ）部、１８はＡ／Ｄ変換器、２０はサーチャ部、２１ａ，２１ｂはフィンガ部、２２はパイロット部逆拡散部、２３はデータ部逆拡散部、２４は伝搬路（チャネル）推定部、２５はスロット間遅延検波部、２６はパイロット部同期検波部、２７はデータ部同期検波部、２８はフィンガ合成部、３１はフェージング周波数推定部、３２はＳＩＲ推定部、３３はＳＩＲ測定部、３４は復調データの誤り訂正部、３５は周波数偏差推定部、３６は送信電力制御（ＴＰＣ）ビット作成部である。
【００４９】
アンテナ１１の受信信号を周波数変換して複素ベースバンド信号とし、ＡＧＣ１７で振幅調整した後、Ａ／Ｄ変換してフィンガ部２１ａ，２１ｂ及びサーチャ部２０に入力する。サーチャ部２０ではデジタル複素信号と参照コードとの相関値を求め、各パスに対応した逆拡散タイミングを決定し、フィンガ部２１ａ，２１ｂに加える。
【００５０】
フィンガ部２１ａにおいて、パイロット部逆拡散部２２では、パイロット部毎にサーチャ２０で検出したタイミングに従ってスクランブリングコード及びチャネライゼーションコードが乗算され、同一シンボル内で積分され、パイロットシンボル系列が得られる。また、データ部逆拡散部２３では、データ部毎にサーチャ２０で検出したタイミングに従ってスクランブリングコード及びチャネライゼーションコードが乗算され、同一シンボル内で積分され、データシンボル系列が得られる。
【００５１】
伝播路（チャネル）推定部２４では、パイロットシンボル系列をスロット内加算（平均化）すると共に、スロット間でフェージング周波数ｆＤに応じた重み付け、及び周波数偏差Δｆに応じた位相補償を行って後、これらを加算し、伝搬路推定値を求める。スロット間遅延検波部２５では、入力のパイロットシンボル系列に基づきスロット間遅延検波を行う。パイロット部同期検波部２６では、伝搬路推定値を用いて各パイロットシンボルの同期検波を行う。データ部同期検波部２７では、伝搬路推定値を用いて各データシンボルの同期検波を行う。
【００５２】
各検波出力はフィンガ合成部２８でそれぞれにフィンガ合成され、この内のパイロット部遅延検波結果はフェージング周波数推定部３１及び周波数偏差推定部３５に加えられ、またパイロット部同期検波結果はフェージング周波数推定部３１、ＳＩＲ推定部３２及びＳＩＲ測定部３３に加えられ、そして、データ同期検波結果（復調データ）は、誤り訂正部３４に加えられる。なお、フェージング周波数推定部３１、ＳＩＲ推定部３２及びＳＩＲ測定部３３の詳細については後述する。
【００５３】
図３は実施の形態による伝播路推定部及びパイロット同期検波部のブロック図であり、図において、伝播路推定部２４については上記図９で述べたものと同様でよい。一方、パイロット同期検波部２６には、２スロット分の遅延回路２６１と、検波対象のパイロットシンボルに重み係数ｗ０及び位相補償情報ｅｘｐ（ｊθ０）を乗算する乗算器２６２と、該補正後のパイロットシンボル信号成分を伝播路推定値から減算（除去）する減算器２６３と、該減算出力の複素共役を求める複素共役器（ｃｏｎｊ）２６４と、該共役出力で前記補正後のパイロットシンボル信号成分を同期検波する乗算器２６５とが含まれる。
【００５４】
パイロット同期検波部２６では、検波されるパイロットシンボルに重み係数ｗ０と周波数偏差補正項ｅｘｐ（ｊθ０）とを乗算したものを伝搬路推定値から除いてから同期検波を行う。これにより、伝搬路推定値から検波されるパイロットシンボル成分が除去されるため、干渉と雑音の自己相関による干渉電力及び雑音電力成分を取り除くことが出来る。また各同期検波結果の平均化によりオフセットのない受信信号電力推定値を得ることが出来る。
【００５５】
図４は他の実施の形態による伝播路推定部及びパイロット同期検波部のブロック図であり、検波されるパイロット信号を除いた前後Ｍ個のパイロット信号を重み付け加算して伝搬路推定値を形成する場合を示している。上記図３の伝播路推定部２４と比較すると、この伝搬路推定部２４’では、パイロットシンボル系列のスロット内加算（平均化）を行う累積加算部（Ｔｓｙｍ）２４２が削除されており、よって検波されるパイロットシンボル毎に異なる伝搬路推定値が得られる。また、シンボル遅延部２４４における中央の遅延素子のパイロットシンボル出力が加算器２４９に入力されないため、この伝搬路推定値には、もともと検波されるパイロット信号の成分が含まれない。
【００５６】
パイロット同期検波部２６’において、ここではＭシンボル分の遅延素子（Ｔｓｙｍ）２６６を設けることで、同期検波の位相同期を得ている。またこの伝搬路推定値には、検波されるパイロット信号の成分が含まれないため、該成分を別途に除去する必要がない。
【００５７】
図５は実施の形態によるＳＩＲ推定部のブロック図であり、このＳＩＲ推定部３２には、パイロット部同期検波結果のスロット内平均値Ｓを求めるスロット内平均部３２１と、その電力（Ｉ２＋Ｑ２）を求める２乗演算部３２２と、前記スロット内平均値Ｓからパイロット部同期検波結果を差し引く減算器３２５と、減算出力の電力を求める２乗演算部３２６と、該電力の加算平均（分散）Ｖを求める平均器３２７と、該分散Ｖの逆数を求める逆数器３２８と、前記スロット内平均電力に分散の逆数１／Ｖを乗算してＳＩＲ推定値を求める乗算器３２３と、該求めたＳＩＲ推定値と所定の基準ＳＩＲ値とを比較する比較部３２４とが含まれる。
【００５８】
動作を概説すると、送信電力制御はスロット単位で行うため、入力のパイロット部同期検波結果をスロット内平均した値を平均受信電力Ｓとする。また、平均受信電力Ｓと各受信電力との差を２乗した後にこれらを平均化することで、受信信号電力推定値の分散Ｖを求める。ＳＩＲ推定値は、平均受信電力Ｓを２乗して分散Ｖで除算することにより求め、これを基準ＳＩＲ値と大小比較することで、下りＴＰＣビットを作成する。
【００５９】
こうして得られたＳＩＲ推定値は雑音電力及び干渉電力のオフセットを受けないため、雑音電力や干渉電力が支配的になるような低ＳＩＲ時には、特にＳＩＲ推定値の精度が向上する。更に、このＳＩＲ推定値を利用して制御を行う送信電力制御の精度が向上し、受信特性、チャネル容量等のシステム性能が向上する。
【００６０】
図６は実施の形態によるＳＩＲ測定部のブロック図であり、このＳＩＲ測定部３３には、パイロット部同期検波結果のスロット内平均値Ｓを求めるスロット内平均部３３１と、該平均値Ｓの実部を抽出する実部抽出部（Ｒｅ［　］）３３２と、その出力を平均化する平均部３３３と、該平均出力の逆数を求める逆数器３３８と、前記平均出力につきＡＧＣゲインをキャンセルしてＳ測定値を形成するＡＧＣキャンセル部３３４と、前記スロット内平均値Ｓからパイロット部同期検波結果を差し引く減算器３３５と、該減算出力の電力を求める２乗演算部３３６と、その出力の加算平均（分散）Ｖを求める平均器３３７と、該分散Ｖに１／Ｓを乗算する乗算器３３９と、該乗算出力につきＡＧＣゲインをキャンセルしてＩ測定値を形成するＡＧＣキャンセル部３４０と、該Ｉ測定値の逆数を求める逆数器（１／）３４１と、前記Ｓ測定値とＩ測定値の逆数を乗算してＳＩＲ測定値を形成する乗算器３４３とが含まれる。
【００６１】
動作を概説すると、入力のパイロット部同期検波結果をスロット内平均した値につき実数部を取り出したものを平均化し、更にＡＧＣのゲインをキャンセルすることによりＳ測定値を求める。また、上記ＳＩＲ推定部３２におけると同様に求めた分散ＶをＳ測定値で除算し、更にＡＧＣのゲインをキャンセルすることによりＩ測定値を求める。そして、Ｓ測定値とＩ測定値の比Ｓ／ＩによりＳＩＲ測定値を求める。
【００６２】
上記ＳＩＲ推定値と同様に、得られたＳＩＲ測定値は雑音電力及び干渉電力のオフセットを受けないため、雑音電力や干渉電力が支配的になるような低ＳＩＲ時には、特にＳＩＲ測定値の精度が向上する。
【００６３】
図７は実施の形態によるフェージング周波数推定部のブロック図であり、このフェージング周波数推定部３１には、パイロット部遅延検波結果の周波数偏差を補正する周波数偏差補正部３１１と、該補正後出力の実部を抽出する実部抽出部（Ｒｅ［　］）３１２と、各実部を平均化する平均部３１３と、パイロット部同期検波結果の実部を抽出する実部抽出部（Ｒｅ［　］）３１４と、各実部を平均化する平均部３１５と、その逆数を求める逆数器（１／）３１６と、前記パイロット部遅延検波結果に基づく実部平均値に、前記パイロット部遅延検波結果に基づく実部平均値の逆数を乗算して、時間相関値を求める乗算器３１７と、得られた時間相関値から対応するフェージング周波数推定値ｆＤを求めるテーブル３１８とが含まれる。
【００６４】
ところで、今、パイロット受信信号をｓ（ｔ）、受信信号の複素共役をｓ’（ｔ）、τをスロット間隔（Ｔｓｌｏｔ）、Ｒｅ　［　］を複素数の実数部、＜　＞を時間平均とすると、フェージングの時間相関値ρ（τ）は（８）式、
【００６５】
【数８】
2004120338.tif 000010
【００６６】
で与えられる。また、Ｊ０（　）を第１種０次のベッセル関数、ｆＤ　をフェージング周波数推定値とすると、フェージング時間相関値ρ（τ）の期待値は（９）式、
【００６７】
【数９】
2004120338.tif 000011
【００６８】
で与えられることが知られている。
【００６９】
そこで、上記パイロット部遅延検波結果を周波数偏差補正した後に実部を取り出し、一定時間平均し、これをパイロット部同期検波結果に基づく平均受信電力推定値で規格化して時間相関値ρ（τ）を求める。時間相関値ρ（τ）の期待値Ｒは上記（９）式で表されるため、求めた時間相関値からテーブル３１８を用いてフェージング周波数推定値ｆＤを求めることが出来る。こうして、雑音電力や干渉電力のオフセットのないフェージング周波数推定値を求めることが出来る。
【００７０】
なお、上記本発明に好適なる実施の形態を述べたが、本発明思想を逸脱しない範囲内で各部の構成、制御、処理及びこれらの組み合わせの様々な変更が行えることは言うまでも無い。
【００７１】
【発明の効果】
以上述べた如く本発明によれば、受信信号電力推定値に加わる雑音及び干渉電力によるオフセットを除去することが出来る。また、ＳＩＲ推定値、ＳＩＲ測定値及びフェージング周波数推定値のオフセットも同様に除去することが出来、結果的に受信特性の向上を図ることが出来る。
【図面の簡単な説明】
【図１】本発明の原理を説明する図である。
【図２】実施の形態による基地局受信部のブロック図である。
【図３】実施の形態による伝播路推定部及びパイロット同期検波部のブロック図である。
【図４】他の実施の形態による伝播路推定部及びパイロット同期検波部のブロック図である。
【図５】実施の形態によるＳＩＲ推定部のブロック図である。
【図６】実施の形態によるＳＩＲ測定部のブロック図である。
【図７】実施の形態によるフェージング周波数推定部のブロック図である。
【図８】Ｗ−ＣＤＭＡ上りリンクのフレームフォーマットを示す図である。
【図９】従来の伝播路推定部及びパイロット同期検波部のブロック図である。
【符号の説明】
１７　ＡＧＣ（Ａｕｔｏ　Ｇａｉｎ　Ｃａｎｃｅｌ）部
２０　サーチャ部
２１ａ，２１ｂ　フィンガ部
２２　パイロット部逆拡散部
２３　データ部逆拡散部
２４　伝搬路（チャネル）推定部
２５　スロット間遅延検波部
２６　パイロット部同期検波部
２７　データ部同期検波部
２８　フィンガ合成部
３１　フェージング周波数推定部
３２　ＳＩＲ推定部
３３　ＳＩＲ測定部
３４　誤り訂正部
３５　周波数偏差推定部
３６　送信電力制御（ＴＰＣ）ビット作成部
【図１】
2004120338.tif 000012
【図２】
2004120338.tif 000013
【図３】
2004120338.tif 000014
【図４】
2004120338.tif 000015
【図５】
2004120338.tif 000016
【図６】
2004120338.tif 000017
【図７】
2004120338.tif 000018
【図８】
2004120338.tif 000019
【図９】
2004120338.tif 000020